(57)【要約】【課題】レート変換ダビングする際に、ＡＶデータの記録ビットレートに応じてダビング方法を切り替えて、レート変換ダビング処理によるエンコーダ及びデコーダの占有期間を短縮可能とする。【解決手段】記録再生装置１０は、ＡＶデータを記録したＨＤ１５、ＤＶＤ１７を装着する入出力Ｉ／Ｆ１６、再エンコードしてダビングを行うレート変換ダビングと再エンコードせずにダビングを行う高速ダビングのいずれかの方法でダビングするダビング手段２１ａ、前記レート変換ダビング時に設定する記録ビットレートとダビングを行うＡＶデータの記録時の記録ビットレートを比較して前記ＡＶデータを前記レート変換ダビング又は高速ダビングのいずれの方法でダビングするか判定するダビング判定手段２１ｂを有する。ダビング手段２１ａは、前記ＡＶデータの記録ビットレートが前記レート変換ダビング時に設定された記録ビットレート以下の場合、高速ダビングを行う。【選択図】図１
2005293627.tif 000002
【特許請求の範囲】
【請求項１】
記録媒体に対してＡＶデータを記録する記録手段と、該記録したＡＶデータを再生する再生手段と、再エンコードを行ってからダビングを行うレート変換ダビングと再エンコードを行わずにダビングを行う高速ダビングのいずれかの方法でダビングを行うダビング手段とを有する記録再生装置において、前記レート変換ダビング時に設定する記録ビットレートと、ダビングを行うＡＶデータの記録時における記録ビットレートとを比較し、その比較結果によって前記ＡＶデータを前記レート変換ダビングもしくは前記高速ダビングのいずれの方法でダビングを行うか判定するダビング判定手段を有することを特徴とする記録再生装置。
【請求項２】
請求項１に記載の記録再生装置において、前記ダビング判定手段によるダビング方法の判定処理の有効／無効を設定する判定処理設定手段を有し、前記レート変換ダビングを実行する際に、前記設定が有効の場合、前記ダビング判定手段が、ダビングを行う全てのＡＶデータに対して前記ダビング方法の判定処理を実行し、前記設定が無効の場合、前記ダビング手段が、ダビングを行う全てのＡＶデータを前記レート変換ダビングによってダビングすることを特徴とする記録再生装置。
【請求項３】
請求項１又は２に記載の記録再生装置において、前記ダビング判定手段による判定結果に基づいて、前記レート変換ダビングを行うＡＶデータの集合と前記高速ダビングを行うＡＶデータの集合に分別するＡＶデータ分別手段を有し、前記ダビング手段は、前記レート変換ダビングを行うＡＶデータの集合のダビング処理を、前記高速ダビングを行うＡＶデータの集合のダビング処理に先行して行うことを特徴とする記録再生装置。
【請求項４】
請求項３に記載の記録再生装置において、前記ＡＶデータ分別手段は、前記レート変換ダビングを行うＡＶデータの集合に含まれるＡＶデータに対して、任意の条件でダビングを行う順序を並び替えることを特徴とする記録再生装置。
【請求項５】
請求項３に記載の記録再生装置において、前記ＡＶデータ分別手段は、前記高速ダビングを行うＡＶデータの集合に含まれるＡＶデータに対して、任意の条件でダビングを行う順序を並び替えることを特徴とする記録再生装置。
【請求項６】
記録媒体に対してＡＶデータを記録する記録手段と、該記録したＡＶデータを再生する再生手段と、再エンコードを行ってからダビングを行うレート変換ダビングと再エンコードを行わずにダビングを行う高速ダビングのいずれかの方法でダビングを行うダビング手段とを有する記録再生装置を用いてＡＶデータのダビングを行うためのＡＶデータのダビング方法において、前記レート変換ダビング時に設定する記録ビットレートと、ダビングを行うＡＶデータの記録時における記録ビットレートとを比較し、その比較結果によって前記ＡＶデータを前記レート変換ダビングもしくは前記高速ダビングのいずれの方法でダビングを行うか判定するダビング判定ステップを有することを特徴とするＡＶデータのダビング方法。
【請求項７】
前記ダビング判定ステップにおけるダビング方法の判定処理の有効／無効を設定する判定処理設定ステップを有し、前記レート変換ダビングを実行する際に、前記設定が有効の場合、前記ダビング判定ステップにおいて、ダビングを行う全てのＡＶデータに対して前記ダビング方法の判定処理を実行し、前記設定が無効の場合、前記ダビングステップにおいて、ダビングを行う全てのＡＶデータを前記レート変換ダビングによってダビングすることを特徴とする請求項６に記載のＡＶデータのダビング方法。
【請求項８】
前記ダビング判定ステップにおける判定結果に基づいて、前記レート変換ダビングを行うＡＶデータの集合と前記高速ダビングを行うＡＶデータの集合に分別するＡＶデータ分別ステップを有し、前記ダビングステップにおいて、前記レート変換ダビングを行うＡＶデータの集合のダビング処理を、前記高速ダビングを行うＡＶデータの集合のダビング処理に先行して行うことを特徴とする請求項６又は７に記載のＡＶデータのダビング方法。
【請求項９】
前記ＡＶデータ分別ステップにおいて、前記レート変換ダビングを行うＡＶデータの集合に含まれるＡＶデータに対して、任意の条件でダビングを行う順序を並び替えることを特徴とする請求項８に記載のＡＶデータのダビング方法。
【請求項１０】
前記ＡＶデータ分別ステップにおいて、前記高速ダビングを行うＡＶデータの集合に含まれるＡＶデータに対して、任意の条件でダビングを行う順序を並び替えることを特徴とする請求項８に記載のＡＶデータのダビング方法。
【発明の詳細な説明】
【技術分野】
【０００１】
本発明は、記録再生装置及びＡＶデータのダビング方法、より詳細には、ハードディスクやＤＶＤなどの記録媒体に対してＡＶデータを記録／再生する記録再生装置に関し、特に、その記録再生装置の必須機能であるダビング方式に関するものである。
【背景技術】
【０００２】
近年、ハードディスク（以下、ＨＤ）やデジタル多用途ディスク（以下、ＤＶＤ）などの記録媒体を具備し、チューナによって受信したＡＶデータをＨＤまたはＤＶＤに記録し、記録したＡＶデータの再生を行うデジタル情報記録再生装置が開発されている。このようなデジタル情報記録再生装置においては、一方のディスクに記録してあるＡＶデータを他方のディスクにコピーを行うダビング機能が必須となっている。
【０００３】
一般的にダビングを行う手順としては、まず、ダビングを行うＡＶデータを選択し、選択した順にＡＶデータのダビングを行う。このとき、ダビングの種類としてはレート変換ダビングと高速ダビングがあり、どちらのダビングを行うかはユーザの選択に委ねられる。
【０００４】
上記レート変換ダビングは、ダビングを行うＡＶデータをディスクから読み出した後、エンコーダを通して再エンコードを行い、ダビング先のディスクにＡＶデータのコピーを行うダビングである。このダビング方法は、所望の記録ビットレートでダビング先のディスクにＡＶデータをコピーすることができるが、ＡＶデータを再エンコードするのでダビングの実行速度は等速となる。つまり、ダビングを行うＡＶデータの記録長と同じ時間がダビング実行時間として必要となる。また、レート変換ダビング中はダビング処理がエンコーダおよびデコーダを使用するため、再生・放送視聴を行うことができないという制限が生じる。
【０００５】
一方、上記高速ダビングは、ダビングを行うＡＶデータをディスクから読み出した後、再エンコードを行うことなしにダビング先のディスクにＡＶデータのコピーを行うダビングである。基本的にファイルのコピーを行うことと等価であるので、ダビングの実行速度は、システム構成やＡＶデータの記録ビットレートにより異なるが、最大約２４倍速となるシステムも登場している。高速ダビング中はエンコーダおよびデコーダを使用しないため、高速ダビング実行中は再生・放送視聴を行うことが可能である。
【０００６】
レート変換ダビング中のエンコーダおよびデコーダの使用制限の問題を解決するために、例えば、特許文献１に提案されているようなシステムがある。このシステムでは、ダビング専用のエンコーダおよびデコーダを一系統追加して、追加したエンコーダおよびレコーダを用いてレート変換ダビングで行い、再生・放送視聴は既存のエンコーダおよびデコーダで行うというシステムである。
【特許文献１】特開２００３−２２４８１３号公報
【発明の開示】
【発明が解決しようとする課題】
【０００７】
上記したように、従来の技術では、レート変換ダビング実行中において、エンコーダおよびデコーダを使用するため、再生・放送視聴を行うことができないという制限が生じる。また、特許文献１で提案されているようなシステムでは、上記問題を解決するためにダビング専用のエンコーダおよびデコーダを一系統追加する構成を採っているが、この方法はシステムに対して回路の追加が必要となり、コストアップしてしまう。
【０００８】
本発明は、上述のごとき実情に鑑みてなされたものであり、レート変換ダビングを実行する際に、ＡＶデータの記録ビットレートに応じてダビング方法を切り替えることにより、レート変換ダビング処理によるエンコーダ及びデコーダの占有期間を短縮できるようにした記録再生装置及びＡＶデータのダビング方法を提供すること、を目的としてなされたものである。
【課題を解決するための手段】
【０００９】
上記課題を解決するために、第１の技術手段は、記録媒体に対してＡＶデータを記録する記録手段と、該記録したＡＶデータを再生する再生手段と、再エンコードを行ってからダビングを行うレート変換ダビングと再エンコードを行わずにダビングを行う高速ダビングのいずれかの方法でダビングを行うダビング手段とを有する記録再生装置において、前記レート変換ダビング時に設定する記録ビットレートと、ダビングを行うＡＶデータの記録時における記録ビットレートとを比較し、その比較結果によって前記ＡＶデータを前記レート変換ダビングもしくは前記高速ダビングのいずれの方法でダビングを行うか判定するダビング判定手段を有することを特徴としたものである。
【００１０】
第２の技術手段は、第１の技術手段において、前記ダビング判定手段によるダビング方法の判定処理の有効／無効を設定する判定処理設定手段を有し、前記レート変換ダビングを実行する際に、前記設定が有効の場合、前記ダビング判定手段が、ダビングを行う全てのＡＶデータに対して前記ダビング方法の判定処理を実行し、前記設定が無効の場合、前記ダビング手段が、ダビングを行う全てのＡＶデータを前記レート変換ダビングによってダビングすることを特徴としたものである。
【００１１】
第３の技術手段は、第１又は第２の技術手段において、前記ダビング判定手段による判定結果に基づいて、前記レート変換ダビングを行うＡＶデータの集合と前記高速ダビングを行うＡＶデータの集合に分別するＡＶデータ分別手段を有し、前記ダビング手段は、前記レート変換ダビングを行うＡＶデータの集合のダビング処理を、前記高速ダビングを行うＡＶデータの集合のダビング処理に先行して行うことを特徴としたものである。
【００１２】
第４の技術手段は、第３の技術手段において、前記ＡＶデータ分別手段は、前記レート変換ダビングを行うＡＶデータの集合に含まれるＡＶデータに対して、任意の条件でダビングを行う順序を並び替えることを特徴としたものである。
【００１３】
第５の技術手段は、第３の技術手段において、前記ＡＶデータ分別手段は、前記高速ダビングを行うＡＶデータの集合に含まれるＡＶデータに対して、任意の条件でダビングを行う順序を並び替えることを特徴としたものである。
【００１４】
第６の技術手段は、記録媒体に対してＡＶデータを記録する記録手段と、該記録したＡＶデータを再生する再生手段と、再エンコードを行ってからダビングを行うレート変換ダビングと再エンコードを行わずにダビングを行う高速ダビングのいずれかの方法でダビングを行うダビング手段とを有する記録再生装置を用いてＡＶデータのダビングを行うためのＡＶデータのダビング方法において、前記レート変換ダビング時に設定する記録ビットレートと、ダビングを行うＡＶデータの記録時における記録ビットレートとを比較し、その比較結果によって前記ＡＶデータを前記レート変換ダビングもしくは前記高速ダビングのいずれの方法でダビングを行うか判定するダビング判定ステップを有することを特徴としたものである。
【００１５】
第７の技術手段は、第６の技術手段において、前記ダビング判定ステップにおけるダビング方法の判定処理の有効／無効を設定する判定処理設定ステップを有し、前記レート変換ダビングを実行する際に、前記設定が有効の場合、前記ダビング判定ステップにおいて、ダビングを行う全てのＡＶデータに対して前記ダビング方法の判定処理を実行し、前記設定が無効の場合、前記ダビングステップにおいて、ダビングを行う全てのＡＶデータを前記レート変換ダビングによってダビングすることを特徴としたものである。
【００１６】
第８の技術手段は、第６又は第７の技術手段において、前記ダビング判定ステップにおける判定結果に基づいて、前記レート変換ダビングを行うＡＶデータの集合と前記高速ダビングを行うＡＶデータの集合に分別するＡＶデータ分別ステップを有し、前記ダビングステップにおいて、前記レート変換ダビングを行うＡＶデータの集合のダビング処理を、前記高速ダビングを行うＡＶデータの集合のダビング処理に先行して行うことを特徴としたものである。
【００１７】
第９の技術手段は、請求項８の技術手段において、前記ＡＶデータ分別ステップにおいて、前記レート変換ダビングを行うＡＶデータの集合に含まれるＡＶデータに対して、任意の条件でダビングを行う順序を並び替えることを特徴としたものである。
【００１８】
第１０の技術手段は、第８の技術手段において、前記ＡＶデータ分別ステップにおいて、前記高速ダビングを行うＡＶデータの集合に含まれるＡＶデータに対して、任意の条件でダビングを行う順序を並び替えることを特徴としたものである。
【発明の効果】
【００１９】
レート変換ダビングを実行する際に、ＡＶデータの記録ビットレートに応じてダビング方法を切り替えることにより、レート変換ダビング処理によるエンコーダ及びデコーダの占有期間を短縮することができるため、レート変換ダビング処理によって再生・放送視聴できない時間帯を減らすことができる。
【発明を実施するための最良の形態】
【００２０】
（第１の実施形態）
図１は、本発明の一実施形態に係る記録再生装置の構成例を示すブロック図で、図中、１０は記録再生装置で、該記録再生装置１０は、受信部１１，ＡＤ変換器１２，エンコーダ１３，データバッファ１４，ＨＤ（ハードディスク）１５，外部記録媒体１７（以下、ＤＶＤ１７）を着脱可能に装着するための入出力インタフェイス（入出力Ｉ／Ｆ）１６，デコーダ１８，ＤＡ変換器１９，操作部２０，制御部２１を備えている。
【００２１】
本実施形態の記録再生装置１０は、ＨＤ１５とＤＶＤ１７を記録媒体としてＡＶデータの記録／再生を行うもので、ＨＤ１５からＤＶＤ１７へのダビング処理を例に挙げて以下の説明を行う。
尚、本実施形態では、記録媒体としてＨＤとＤＶＤを用いているが、記録媒体をこれらに限定しているものではなく、ＡＶデータを記録できる全ての記録媒体に応用することが可能である。例えば、ＶＨＳやＤ−ＶＨＳなどのカセットテープ形態のものや、次世代ＤＶＤと期待されているＢｌｕ−ｒａｙディスクや、ＨＤ  ＤＶＤなどの光ディスクに対しても応用することができるのは言うまでもない。
【００２２】
図１において、受信部１１は放送波を受信するアンテナとチューナからなる。ＡＤ変換器１２はアナログ映像音声信号をデジタル映像音声信号に変換する。エンコーダ１３はＡＤ変換器１２から入力されたデジタル映像音声信号またはレート変換ダビング時にＨＤ１５から読み出したＡＶデータをデータ圧縮する。データバッファ１４はＨＤ１５およびＤＶＤ１７に対して書き込みまたは読み出しを行う場合にＡＶデータを格納しておく。デコーダ１８は映像音声を出力するためにＡＶデータをデジタル映像音声信号に復元する。ＤＡ変換器１９は映像音声を出力するためにデジタル映像音声信号をアナログ映像音声信号に変換する。これらの各ブロックにおける動作は、操作部２０からの指示に従って制御部２１が各ブロックを制御して実行される。
【００２３】
記録再生装置１０において、ＨＤ１５からＤＶＤ１７へのレート変換ダビングを行う際のデータフローは以下のようになる。
まず、ＨＤ１５からダビングを行うＡＶデータの読み出しを開始する。読み出されたＡＶデータはデータバッファ１４に格納され、エンコーダ１３およびデコーダ１８にデータ転送される。エンコーダ１３にデータ転送されたＡＶデータはダビング時に設定された記録ビットレートに基づいて再エンコードされる。再エンコードされたＡＶデータは再びデータバッファ１４にデータ転送され、ＤＶＤ１７へ記録される。また、デコーダ１８にデータ転送されたＡＶデータはデコーダ１８によって映像音声信号に復元されて外部に出力される。
【００２４】
一方、高速ダビングを行う場合、ＨＤ１５から読み出されたＡＶデータはデータバッファ１４に格納され、再エンコードを行うことなく、そのままＤＶＤ１７へ記録される。
【００２５】
また、制御部２１は、図示しないＣＰＵとメモリ（ＲＯＭ、ＲＡＭなど）から構成され、このメモリには、本実施形態の記録再生装置１０としての機能を実行するための各手段がダビング処理プログラムとして格納されている。このダビング処理プログラムは、ダビング手段２１ａ，ダビング判定手段２１ｂ，判定処理設定手段２１ｃを含み、ダビング手段２１ａは、再エンコードを行ってからダビングを行うレート変換ダビングと、再エンコードを行わずにダビングを行う高速ダビングのいずれかの方法でダビング処理を実行する。ダビング判定手段２１ｂは、レート変換ダビング時に設定する記録ビットレートと、ダビングを行うＡＶデータの記録時における記録ビットレートを比較し、その比較結果によって上記ＡＶデータをレート変換ダビングもしくは高速ダビングのいずれの方法でダビングを行うか判定する処理を実行する。
【００２６】
ダビング判定手段２１ｂによる判定の結果から、ダビング手段２１ａは、ダビングを行うＡＶデータの記録時における記録ビットレートがレート変換ダビング時に設定する記録ビットレート以下の低い場合、高速ダビングを行い、ダビングを行うＡＶデータの記録時における記録ビットレートがレート変換ダビング時に設定する記録ビットレートよりも高い場合、レート変換ダビングを行う。
【００２７】
また、判定処理設定手段２１ｃは、ダビング判定手段２１ｂによるダビング方法の判定処理の有効／無効を設定する処理を実行する。設定が「有効」の場合、ダビング判定手段２１ｂが、ダビングを行う全てのＡＶデータに対してダビング方法の判定処理を実行し、設定が「無効」の場合、ダビング手段２１ａが、ダビングを行う全てのＡＶデータをレート変換ダビングによってダビングする。尚、記録再生装置１０は、判定処理設定手段２１ｃを含まない構成としてもよく、この場合、ダビング判定手段２１ｂが、ダビングを行う全てのＡＶデータに対してダビング方法の判定処理を実行する。
【００２８】
図２は、本発明が適用されるＡＶデータのダビング方法の一例を説明するためのフロー図である。図３は、ダビングを行うＡＶデータの記録時における記録ビットレートに応じて実際に実行されるダビング方法の一例を示す図である。尚、本実施例では、図１に示した記録再生装置１０に基づいてダビング処理を実行するものとする。
図２において、まず、記録再生装置１０は、レート変換ダビングを開始する前に、ダビングを行うＡＶデータの選択を行う（ステップＳ１）。本実施例では、図３に示すように、記録ビットレートがそれぞれＳＰ，ＥＰ，ＦＩＮＥ，ＬＰなどで記録された４つのＡＶデータをＨＤ１５から選択するものとする。ここで、それぞれの記録ビットレートは、ＳＰ（標準モード）、ＥＰ（最長時間モード）、ＦＩＮＥ（高画質モード）、ＬＰ（長時間モード）を意味し、ビットレートの高い順に、ＦＩＮＥ  ＞  ＳＰ  ＞  ＬＰ  ＞  ＥＰとなる。
【００２９】
上記ステップＳ１でダビングを行うＡＶデータの選択が完了したら、記録再生装置１０は、レート変換ダビングを開始する（ステップＳ２）。ここでは、レート変換ダビングの記録ビットレートを決定する。本実施例では、図３に示すように、「ＬＰ」でレート変換ダビングを行うものとする。
【００３０】
次に、記録再生装置１０は、上記ステップＳ２でレート変換ダビングの記録ビットレート（すなわち、ＬＰ）を決定した後、ダビング方法の判定処理を行うかどうか設定内容を確認する（ステップＳ３）。この設定内容には、ダビング方法の判定処理を行う場合には「有効」が、判定処理を行わない場合には「無効」が設定される。レート変換ダビングではダビングを実行すると同時に、そのダビングを行っているＡＶデータの映像音声の再生出力も行っており、再生出力された映像音声を視聴しながらダビングを行うという場合も考えられる。そこで、本実施例では、ダビング方法の判定処理の有効／無効を設定できるようにする。
【００３１】
記録再生装置１０は、上記ステップＳ３において、設定内容に「無効」が設定されている場合（ＹＥＳの場合）、全ての選択されたダビングを行うＡＶデータを、選択された順番でレート変換ダビングによってダビングする（ステップＳ４）。
【００３２】
また、上記ステップＳ３において、上記設定内容に「有効」が設定されている場合（ＮＯの場合）、選択されたダビングを行うＡＶデータに対してレート変換ダビングを行うか、高速ダビングを行うかダビング方法の判定処理を行う（ステップＳ５）。ここで、ＡＶデータに対してレート変換ダビングと高速ダビングのどちらのダビング方法を用いて実行するかは、以下に示す式（１）及び式（２）により決定される。
【００３３】
ＲａｔｅＤａｔａ≦ＲａｔｅＤｕｂｂ（高速ダビング）      ・・・式（１）
ＲａｔｅＤａｔａ＞ＲａｔｅＤｕｂｂ（レート変換ダビング）・・・式（２）
但し、ＲａｔｅＤａｔａはそれぞれのＡＶデータの記録時における記録ビットレート、ＲａｔｅＤｕｂｂはレート変換ダビング時に設定される記録ビットレートを示す。
【００３４】
上記式（１）から、ＡＶデータの記録ビットレートＲａｔｅＤａｔａがダビング設定の記録ビットレートＲａｔｅＤｕｂｂ以下の場合、エンコーダ１３を通して再エンコードを行っても画質はなんら変化しないので、レート変換ダビングでなく高速ダビングを用いてダビングを行う。また、上記式（２）から、ＡＶデータの記録ビットレートＲａｔｅＤａｔａがダビング設定の記録ビットレートＲａｔｅＤｕｂｂより大きい場合、エンコーダ１３を通して再エンコードを行うことにより、情報量の少ないＡＶデータへとエンコードするため、レート変換ダビングを用いてダビングを行う必要がある。
【００３５】
図３に示す例において、ダビング設定の記録ビットレートＲａｔｅＤｕｂｂ（ＬＰ）に対して、それぞれのＡＶデータの記録ビットレートＲａｔｅＤａｔａを、上記式（１）及び式（２）に当てはめると、ＡＶデータ１（ＳＰ）とＡＶデータ３（ＦＩＮＥ）はレート変換ダビングでダビングが実行され、ＡＶデータ２（ＥＰ）とＡＶデータ４（ＬＰ）は高速ダビングでダビングが実行されることになる。
【００３６】
このように、上記ステップＳ５における判定結果に従って、各ＡＶデータに対してダビング処理を実行する（ステップＳ６）。
【００３７】
本発明によると、ＡＶデータに対してレート変換ダビングを行う際に、レート変換ダビングを行う必要がないＡＶデータを判定し、その結果、該当するＡＶデータ（すなわち、記録時における記録ビットレートがダビング設定の記録ビットレート以下のＡＶデータ）については高速ダビングを行うことにより、レート変換ダビング処理によるエンコーダおよびデコーダの占有期間を短縮することができる。
【００３８】
（第２の実施形態）
図４は、本発明の他の実施形態に係る記録再生装置の構成例を示すブロック図である。本実施形態の記録再生装置１０は、図１に示した記録再生装置１０のダビング処理プログラムにＡＶデータ分別手段２１ｄをさらに有しているものとし、その他の装置構成は図１に示した記録再生装置１０の構成と同様であるため、ここでの説明は省略するものとする。
【００３９】
ＡＶデータ分別手段２１ｄは、ダビング判定手段２１ｂによる判定結果に基づいて、レート変換ダビングを行うＡＶデータの集合と、高速ダビングを行うＡＶデータの集合に分別する処理を実行する。さらに、ＡＶデータ分別手段２１ｄは、レート変換ダビングあるいは高速ダビングを行うＡＶデータの集合に含まれるＡＶデータに対して、任意の条件でダビングを行う順序を並び替える機能を備えていてもよい。本実施形態の記録再生装置１０では、ダビング手段２１ａが、ＡＶデータ分別手段２１ｄによって分別された、レート変換ダビングを行うＡＶデータの集合のダビング処理を、高速ダビングを行うＡＶデータの集合のダビング処理に先行して行うことができる。
【００４０】
図５は、本発明が適用されるＡＶデータのダビング方法の他の例を説明するためのフロー図である。尚、本実施例では、図４に示した記録再生装置１０に基づいてダビング処理を実行するものとする。
本実施例のステップＳ１１からステップＳ１５までの処理は、図２に示したステップＳ１からステップＳ５までの処理と同様である。すなわち、記録再生装置１０は、レート変換ダビングを開始する前に、ダビングを行うＡＶデータを選択し（ステップＳ１１）、ダビングを行うＡＶデータの選択が完了したら、レート変換ダビングを開始する（ステップＳ１２）。
【００４１】
次に、記録再生装置１０は、上記ステップＳ１２でレート変換ダビングの記録ビットレートを決定した後、ダビング方法の判定処理を行うかどうか設定内容を確認する（ステップＳ１３）。この設定内容には、ダビング方法の判定処理を行う場合には「有効」が、判定処理を行わない場合には「無効」が設定されている。記録再生装置１０は、上記ステップＳ１３において、設定内容に「無効」が設定されている場合（ＹＥＳの場合）、全ての選択されたダビングを行うＡＶデータを、選択された順序でレート変換ダビングによってダビングする（ステップＳ１４）。
【００４２】
また、上記ステップＳ１３において、設定内容に「有効」が設定されている場合（ＮＯの場合）、選択されたダビングを行うＡＶデータに対して、レート変換ダビングを行うか、高速ダビングを行うかダビング方法の判定処理を行う（ステップＳ１５）。
【００４３】
記録再生装置１０は、上記ステップＳ１５において、それぞれのＡＶデータについて実行すべきダビング方法の判定が完了したら、ダビング実行順序を最適化してレート変換ダビングに要する時間の短縮化を図る（ステップＳ１６）。
【００４４】
図６は、図３に示したＡＶデータに対するダビング実行順序最適化処理の一例を説明するための図である。記録再生装置１０は、上記ステップＳ１５において、ＡＶデータに対してダビング方法の判定処理を行った結果、レート変換ダビングと高速ダビングが混在したダビング処理を行うことになる。
【００４５】
図６（Ａ）に示すように、図３に示したＡＶデータ１に対してレート変換ダビングによるダビング処理を終了した後、ＡＶデータ２に対して高速ダビングによるダビング処理を行う。この高速ダビング処理中はエンコーダ１３およびデコーダ１８を使用しない状態となり、再生・放送視聴を行うことができる。しかしながら、ＡＶデータ２の高速ダビング処理が終了すると、ＡＶデータ３に対してレート変換ダビング処理が実行され、このレート変換ダビング処理によってエンコーダ１３およびデコーダ１８が使用されるため、再生・放送視聴を行うことができなくなる。このように、レート変換ダビングと高速ダビングが混在したダビング処理を交互に行うことになる。
【００４６】
そこで、より効果的に再生・放送視聴の制限を緩和するために、上記ステップＳ１６では、レート変換ダビングを行うＡＶデータの集合と、高速ダビングを行うＡＶデータの集合に分別し、その分別結果に従って、レート変換ダビングを行うＡＶデータの集合のダビング処理を、高速ダビングを行うＡＶデータのダビング処理に先行して実行する。
【００４７】
図６（Ｂ）はダビング実行順序を入れ替えた状態の一例を示す図である。図３に示したように、レート変換ダビングを行うＡＶデータの集合はＡＶデータ１とＡＶデータ３であり、高速ダビングを行うＡＶデータの集合はＡＶデータ２とＡＶデータ４となる。本実施例では、レート変換ダビングを行うＡＶデータの集合を、高速ダビングを行うＡＶデータの集合の前に配置するようダビングを行う順序を入れ替える。
【００４８】
上記のように、レート変換ダビング処理を高速ダビング処理に先行して実行することにより、レート変換ダビング処理が終了した時点でエンコーダ１３およびデコーダ１８が使用可能な状態となる。すなわち、レート変換ダビング処理が終了した後に、引き続き実行される高速ダビング処理では再生・放送視聴が可能となるため、図６（Ａ）に示すように、レート変換ダビングと高速ダビングを交互に実行するより、より効果的に再生・放送視聴の制限を緩和することができる。
【００４９】
また、レート変換ダビングを行うＡＶデータの集合と、高速ダビングを行うＡＶデータの集合に分別したとき、それぞれの集合内のＡＶデータはそれぞれ任意の条件でダビング順序を並び替えることができる。
【００５０】
次に、記録再生装置１０は、上記ステップＳ１６においてダビング実行順序の最適化を行った後、ダビングの実行に移る。まず、レート変換ダビングを行うＡＶデータの集合に含まれるＡＶデータのダビング行う（ステップＳ１７）。このレート変換ダビング実行中はエンコーダ１３およびデコーダ１８を使用するため、再生・放送視聴は行うことができない。
【００５１】
次に、記録再生装置１０は、上記レート変換ダビングが終了したら、エンコーダ１３およびデコーダ１８が使用可能な状態になっているので、再生・放送視聴できるようにライブ化を行う（ステップＳ１８）。この時点から、記録再生装置１０は再生・放送視聴が可能な状態となる。最後に、高速ダビングを行うＡＶデータの集合に含まれるＡＶデータのダビングを行う（ステップＳ１９）。
【００５２】
本発明によると、レート変換ダビング時に設定する記録ビットレートと、ダビングを行うＡＶデータの記録時における記録ビットレートの比較を行うことによって、レート変換ダビングを行う必要のないＡＶデータに対しては高速ダビングによるダビングを行い、レート変換ダビング処理によるエンコーダおよびデコーダの占有期間を短縮することができる。
さらに、レート変換ダビングを行うＡＶデータを、高速ダビングを行うＡＶデータより先行してダビング処理を行うことによって、より効果的に再生・放送視聴の制限を緩和することができる。
【図面の簡単な説明】
【００５３】
【図１】本発明の一実施形態に係る記録再生装置の構成例を示すブロック図である。
【図２】本発明が適用されるＡＶデータのダビング方法の一例を説明するためのフロー図である。
【図３】ダビングを行うＡＶデータの記録時における記録ビットレートに応じて実際に実行されるダビング方法の一例を示す図である。
【図４】本発明の他の実施形態に係る記録再生装置の構成例を示すブロック図である。
【図５】本発明が適用されるＡＶデータのダビング方法の他の例を説明するためのフロー図である。
【図６】図３に示したＡＶデータに対するダビング実行順序最適化処理の一例を説明するための図である。
【符号の説明】
【００５４】
１０…記録再生装置、１１…受信部、１２…ＡＤ変換器、１３…エンコーダ、１４…データバッファ、１５…ＨＤ（ハードディスク）、１６…入出力Ｉ／Ｆ、１７…外部記録媒体（ＤＶＤ）、１８…デコーダ、１９…ＤＡ変換器、２０…操作部、２１…制御部、２１ａ…ダビング手段、２１ｂ…ダビング判定手段、２１ｃ…判定処理設定手段、２１ｄ…ＡＶデータ分別手段。
【図１】
2005293627.tif 000003
【図２】
2005293627.tif 000004
【図３】
2005293627.tif 000005
【図４】
2005293627.tif 000006
【図５】
2005293627.tif 000007
【図６】
2005293627.tif 000008